Podtech/llm-jp-corpus-v4-ja_patent huggingface dataset:
(57)【要約】　　　（修正有）【課題】現場工事・道路工事等における人員・車両の進行・停止の表示および誘導を確実に行い、事故の未然防止を行う。【解決手段】円形又は多角形の筒の表示部１，５，６に、発光材８および反射材７を設け、これを切替表示する事により、人員・車両運転者への伝達を確実に行う。【選択図】　図１
2004013138.tif 000002
【特許請求の範囲】
【請求項１】
2004013138.tif 000010
装置。
【請求項２】
夜間使用時の為に、赤色・青色等の発光ダイオードまたは豆
電球等の発光体および反射性を有する材料を設けた装置。
【請求項３】
2004013138.tif 000011
【発明の詳細な説明】
【０００１】
【発明の属する技術分野】
本発明は道路工事・現場工事等で人員、車両の誘導に使用する交通誘導棒に
2004013138.tif 000003
停止・進行の誘導を確実に行うための装置に関するものである。
【０００２】
【従来の技術】
従来の交通誘導棒はプラスチックの透明または乳白色の円筒の中へ、反射性アクリル板等に発光ダイオードまたは豆電球を使用し発光させ、交通整理員が手に持ち、停止・進行の指示誘導を行っている（実開平８−４３２号公報及び
公開実用平成４−３４８３号公報参照）。
【０００３】
【発明が解決しようとする課題】
従来の技術で述べたように、特に夜間の道路工事等の交通整理・誘導の場合、他の表示−例えば、工事範囲を示す赤色の点滅灯や工事範囲表示灯と混在視し、車両走行中、停止か進行かの判断がつきにくい場合がある。又、交通整理員の動作・表示方法によっては、停止・進行の判断がつきにくい場合があり、　事故を発生させる要因となる。
そこで、本発明は、上記した従来の問題点に鑑み、取扱いが容易で、しかも確認し易い道路工事等用の交通誘導棒を提供する事を目的としたものである。
【０００４】
【課題を解決するための手段】
2004013138.tif 000004
なおかつ表示を赤色・青色等に発光させる事により、夜間走行中でも確実に、
進行・停止等の指示を確認できるものとした。
【０００５】
【発明の実施の形態】
発明の実施の形態を実施例にもとずき図面を参照して説明する。
図１は進行指示を表示している誘導棒の全体を示す。
表示部１は合成樹脂等の円形又は多角形での筒状で形成されている。
握り部２は表示部１と接続しており、握り部２の内部には乾電池を入れる電池ケース３があり、握り部の外部には、電源切替スイッチ４がある。
2004013138.tif 000005
示を形成している。
表示部１および表示部５・６の内部には、反射性を有する材料７、例えば反射性アクリル板等と発光材８、例えば発光ダイオード等が装備されており、必要に応じて赤色・青色等を発光表示する。
【０００６】
図２は停止指示を表示している誘導棒の全体を示す。
表示部１は合成樹脂等の円形又は多角形の筒状で形成されている。
握り部２は表示部１と、接続しており、握り部２の内部には乾電池を入れる電池ケース３があり、握り部の外部には、電源切替スイッチ４がある。
表示部５・６は表示部１の略中央部にあり、表示部１と共に十字形を形成して
2004013138.tif 000006
表示部１および表示部５・６の内部には、反射性を有する材料７と、発光材８が装備されており、必要に応じて赤色・青色等を発光表示する。
【０００７】
図３・図４・図５・に不使用時の収納状態から進行表示への切替、および進行表示から停止表示への切替方法の一例を示す。
図３に収納状態における縦断面を示す。開閉スイッチ９に支持棒１０・１１が付き、支持棒１０は表示部５に、支持棒１１は表示部６に接続している。
図４に収納状態から進行表示への切替方法を示す。開閉スイッチ９を表示部側５・６側へ移動する事により、支持棒１０・１１が表示部５・６を押し広げ
2004013138.tif 000007
図５に進行表示より停止表示への切替方法を示す。開閉スイッチ９は進行表示位置に固定し、表示変更スイッチ１２を開閉スイッチ９側へ移動する事により、表示部５・６は表示部１と交わり、十字を形成しており、全体を４５度傾
2004013138.tif 000008
収納する場合は、表示変更スイッチ１２を進行表示位置まで移動し、開閉スイッチ９を握り部方向に移動する事により、収納状態となる。
【発明の効果】
本発明は、以上説明したように構成されており、以下に記載されるような効果を奏する。
【０００８】
従来の交通誘導棒は、円筒形で、内部にある発光ダイオード等と反射材で発光させる棒状の物であり、交通整理員が手に持ち誘導を行っているが、交通整理員の動作・表示の方法によっては、進行・停止の判断がつきにくい。又，工事表示の赤色の点滅灯や工事範囲表示灯と混在視し、判断がつきにくい場合がある。
2004013138.tif 000009
員および車両運転者に進行・停止の確認を確実に行わせる効果があり、事故の未然防止を図る事ができる。
【図面の簡単な説明】
【図１】進行指示表示の縦断面図である。
【図２】停止指示表示の縦断面図である。
【図３】進行指示表示および停止指示表示を収納時の縦断面図である。
【図４】収納時から進行表示への切替時の縦断面図である。
【図５】進行表示から停止表示への切替時の縦断面図である。
【符号の説明】
１　　表示部
２　　握り部
３　　電池ケース
４　　電源切替スイッチ
５　　表示部
６　　表示部
７　　反射材
８　　発光材
９　　開閉スイッチ
１０　支持棒
１１　支持棒
１２　表示変更スイッチ
【図１】
2004013138.tif 000012
【図２】
2004013138.tif 000013
【図３】
2004013138.tif 000014
【図４】
2004013138.tif 000015
【図５】
2004013138.tif 000016
(57)【要約】【課題】この発明は、従来において非常に困難であったパチスロの絵柄の記憶、研究をいつでも、どこでも、手元で記憶、研究できる方法に関するものである。【解決手段】パチスロのドラムを手の中で使える程度に縮小し、手で回しながらリング上の絵柄を記憶、研究するために発明されたのが本発明である。【選択図】　　図１
2004013148.tif 000002
【特許請求の範囲】
【請求項１】
パチスロのドラムを、手の中で使えるほどの大きさに縮小し手回しにより、パチスロの絵柄を記憶研究するパチスロ絵柄記憶リング。
【発明の詳細な説明】
【０００１】
【発明の属する技術分野】
本発明は、リングを手回ししながら、リング上の絵柄でパチスロの大当たり（７が３個並ぶことをいう）前に現れる前兆絵柄の記憶、ならびに未公開前兆絵柄の発見研究に利用するものである。
【０００２】
【従来の技術】
従来はパチスロの前兆絵柄の記憶は書物に載っている前兆絵柄を見ながら記憶するか、又は、遊技場でプレーしながら時間をかけて記憶していた。書物を見ながら記憶する方法は機種があまりにも多く絵柄自体も複雑で、なかには１００以上もの前兆絵柄を持つ機種もあり、短期間での前兆絵柄の記憶は極めて困難である。又、遊技場で記憶する方法も、プレーしながらの記憶であり、絵柄記憶にだけ集中できないため長い時間と多額の金銭を必要とするのが現状である。
【０００３】
【発明が解決しようとする課題】
本発明のパチスロ絵柄記憶リングを使用することにより、これまで遊技場において多額の金銭を必要としていた前兆絵柄の記憶を、暇なときに、何時でも、どこでも、手元で記憶できる様にして金銭的負担を大幅に少なくなるようにすること。又、多種多用の機種に対して、一機種だけでも困難だった絵柄記憶を、手回しリング、又は、リング上のシール交換のみで短時間で記憶することが本発明の解決しようとする課題である。
【０００４】
【課題を解決するための手段】
本発明は、プラスチック等弾力のある材料を使用し、図１のように、リング軸の１、及び、それぞれ独立した手回しできる３個のリング、２と３と４、並びに、絵柄記憶枠の５からなり、３個のリングをそれぞれ手回しにより回転させながら絵柄記憶枠内の絵柄を記憶していくことで課題を解決しようとするものである。
【０００５】
【発明の実施の形態】
以下、添付図面に基づき本発明について説明する。本発明は図１に示すように、リング軸（１）、交換可能な３個の手回しリング（２と３と４）、及び、絵柄記憶枠（５）からなる。３個の手回しリングの外周にはパチスロの絵柄配列図を描くか、又は、図２のようにパチスロの絵柄配列図シール（８）を貼り付ける、又、リングは図３のように一か所切断面（１０）が有るためリング自体が切断面を挟むようにバネの役を兼ねている、又、内側切断面に接した片側部分が僅かに丸みのある突起状（９）になっているため、リングがリング軸（１）をはさんだときリング軸の溝（７）に止まりながら回転できるようになっている。絵柄を記憶するときはリング軸（１）にはめ込んだそれぞれのリングを手回ししながら絵柄記憶枠（５）内の絵柄を順次記憶していくのである。
以上、添付図面に示されたパチスロ絵柄記憶リングは本発明を具体化した例であって、本発明の内容はこれらに限定されるものでないことはいうまでもない。
【０００６】
【発明の効果】
従来の方法では非常に困難だったパチスロの前兆絵柄の記憶研究を本発明のパチスロ絵柄記憶リングはパチスロのすべての機種に対し極めて迅速に、且つ多額の金銭を必要とせず絵柄の記憶研究ができるものである。
【図面の簡単な説明】
【図１】本発明の分割斜視図
【図２】本発明のリングとシールの斜視図
【図３】本発明のリングの断面図
【符号の説明】
１はリング軸　　　　６はトメネジ
２は左リング　　　　７はリング軸の溝
３は中リング　　　　８はシール
４は右リング　　　　９はリングの突起
５は絵柄記憶枠　　　１０はリングの切断面
【図１】
2004013148.tif 000003
【図２】
2004013148.tif 000004
【図３】
2004013148.tif 000005
(57)【要約】　　　（修正有）本考案は音を低減する装置に関する物である。【課題】金属加工現場等に適した通気性を備えた防音壁を提供する。【解決手段】音を反射する円錐形状の反射壁２と、その周囲に置かれた音の伝達方向にほぼ平行に配置された吸音材料で構成される。【選択図】図１
2004013144.tif 000002
【特許請求の範囲】
【請求項１】
音を反射する円錐形状の反射壁と、その周囲に音の伝達方向にほぼ平行な向きに配置された吸音材料を備えたことを特徴とする防音装置。
【発明の詳細な説明】
【０００１】
【産業上の利用分野】
本考案は音を低減する装置に関する物である。
【０００２】
【従来の技術】
従来の防音壁材料と吸音原理を記す。これらを組み合わせた製品もある。
１）多孔質吸音材：グラスウール・ロックウール・発泡性樹脂・各種繊維等
吸音材の内部に音が伝わる時、空洞の空気や繊維を振動させることにより音響エネルギーを熱エネルギーへ変換し音を減衰させる。
２）薄板形吸音材：合板・石膏ボード・プラスチック板・金属板・ビニールシート等
音響エネルギーにより吸音材を振動させ、板の内部摩擦により音響エネルギーを消費させて吸音する。
３）共鳴構造形吸音材：孔あき板・スリット板・共鳴器等
薄板に貫通孔とその後の空気層を設け、それらの寸法に合致した波長の音を共鳴させ、選択的に吸音する。
【０００３】
【発明が解決しようとする課題】
従来の防音壁に共通しているのは通気性がない壁構造になることである。そのため次のような問題がある。
１）金属加工現場等では防音壁で騒音源である機械を覆う方法が採られているが、壁構造のため材料や製品の搬入取出し作業の妨げになる。
２）このような防音壁はそれぞれの機械の使い勝手や保全を考慮しなくてはならないため個別に設計製作しなくてはならない。そのため高額になる。
３）それにもかかわらず防音効果は低い。５〜１０ｄＢ程度の吸音効果しかない。
４）空気の流れを遮断するので作業環境面で好ましくない。
【０００４】
【課題を解決するための手段】
本考案は前述の問題を解決するために装置の中心に設けた円錐形状の反射壁により音を放射状に反射し、周囲に設けた吸音材料で吸収させる方法を採っている。
【実施例】
【０００５】
実施した装置を図１に示す。円筒形の本体１の中心に円錐形状の反射壁２を配置し、本体１の内面にスポンジ３を張り付けてある。この構造により点線で表された音４のほとんどは反射壁２により放射状に反射しスポンジ３に衝突して吸収される。そのため反射壁２の右側に伝わる音の強さは大幅に減衰し、防音効果が得られる。
【０００６】
【発明の効果】
図２に性能測定をした時の概要を示す。防音装置５は住宅の壁６に開けられた穴の中に装着されている。住宅の外にはスピーカー７が設置され、住宅の中には騒音計８がある。このようにして測定された騒音のデーターをグラフ１に示す。データーは防音装置５がない時とある時の各波長の音に対する騒音レベルを示しており、平均して１６．５ｄＢの吸音効果が得られた。これは通常の防音壁以上の吸音効果があることを示している。通気性もあるので従来の防音装置に比べ優れていると言うことができる。
【０００７】
【図面の簡単な説明】
【図１】防音装置の三面図を示す。
【図２】性能測定をした時の概要を示す。
【グラフ１】性能測定により得られた騒音のデーターを示す。
【符号の説明】
１　本体　　　２　反射壁　　　３　スポンジ　　４　音
５　防音装置　６　住宅の壁　　７　スピーカー　８　騒音計
【図１】
2004013144.tif 000003
【図２】
2004013144.tif 000004
【手続補正書】
【提出日】平成14年8月30日(2002.8.30)
【手続補正１】
【補正対象書類名】明細書
【補正対象項目名】発明の効果
【補正方法】変更
【補正の内容】
【発明の効果】
図２に性能測定をした時の概要を示す。防音装置５は住宅の壁６に開けられた穴の中に装着されている。住宅の外にはスピーカー７が設置され、住宅の中には騒音計８がある。このようにして測定された騒音のデーターを図３に示す。データーは防音装置５がない時とある時の各波長の音に対する騒音レベルを示しており、平均して１６．５ｄＢの吸音効果が得られた。これは通常の防音壁以上の吸音効果があることを示している。通気性もあるので従来の防音装置に比べ優れていると言うことができる。


【手続補正２】
【補正対象書類名】明細書
【補正対象項目名】図面の簡単な説明
【補正方法】変更
【補正の内容】
【図面の簡単な説明】
【図１】防音装置の三面図を示す。
【図２】性能測定をした時の概要を示す。
【図３】性能測定により得られた騒音のデーターを示す。
【符号の説明】
１　本体　　　２　反射壁　　　３　スポンジ　　４　音
５　防音装置　６　住宅の壁　　７　スピーカー　８　騒音計


【手続補正３】
【補正対象書類名】図面
【補正対象項目名】全図
【補正方法】変更
【補正の内容】
【図１】
2004013144.tif 000005
【図２】
2004013144.tif 000006
【図３】
2004013144.tif 000007
(57)【要約】【課　題】長時間のキーボード操作で疲労と悪姿勢が生じやすくなる。それを低減させ正しい姿勢を楽に保持できる工夫を施したＯＡ関連器具をつくることを目的とした。【解決手段】胸部を接触させて支持壁とする姿勢保持器と前腕をのせる肘掛板をクランプで机の天板に固定し、頭部の重さを支える顎のせパイプにより正しい姿勢を楽に保持できるようにした。【選択図】　　　　図２
2004013142.tif 000002
【特許請求の範囲】
【請求項１】
（１）クランプで机の天板に固定し、パイプ支柱を介して上下に高さを調節できる胸部支持壁としての姿勢保持器。
（２）胸部を接地させる面が、ウレタンフォームまたはツボ押し用突起面を選択できる姿勢保持器。
（３）頭の重さを支えるために下顎を接地させる顎のせパイプ。
（４）顎をのせるパイプの左右位置と前後方向の回転角度を調節できる軸パイプ機構。
（５）クランプで机の天板に固定し、前腕を支えてキーボードの据置台も兼ねる肘掛板。
【発明の詳細な説明】
【０００１】
【発明の属する技術分類】
クランプで机の天板に固定する肘掛け兼キーボード据置台と、クランプで机の天板に固定し胸部と頭部を支える姿勢保持器であります。
【０００２】
【発明が解決しようとする課題】
長時間のキーボード操作による姿勢の崩れと疲労蓄積の軽減を助けるように工夫することを課題とした。
【０００３】
【課題を解決するための手段】
長時間のキーボード操作による疲労と悪姿勢を防ぐための障壁として、胸部を接触させ支持する姿勢保持器をクランプを介して机の天板に固定することにした。
同時に頭部を支えるために下顎を接地させる顎のせパイプをつけることにした。
更に、キーボード操作での疲労の一因である上腕の重さを支えることで低減させるために、前腕をのせる肘掛板を同時にクランプで机の天板に固定することにした。
【０００４】
【発明の実施の形態】
姿勢保持器は、パイプ支柱を軸にして上下に位置を調節することで、利用者の座高差を許容させるようにした。
姿勢保持器の胸部接触面は、クッションとしてのウレタンフォーム面とマッサージ効果を期待する突起面の２面を選択できるようにした。
軸パイプを軸受に沿って水平移動させることで、顎のせパイプの水平位置を調節できるようにした。
軸パイプを軸受に沿って前後に回転させることで、顎のせパイプの回転角度を調節できるようにした。
肘掛板のクランプで固定されていないスライド部を水平移動させることで、利用者の体格差を許容することにした。
肘掛板のスライド部を一旦はずして、左右の位置を逆にすれば上下面が反転するのでマッサージ効果を期待する突起面と平坦なフラット面の２面を選択できるようにした。
肘掛板のスライド部の側面にある半環は、別途クッション等の紐を結ぶために施したものである。
【０００５】
【発明の効果】
頭部・胸部・前腕を支えることで、前のめりになる悪姿勢を防ぎ正しい姿勢を楽に保持できるので、キーボード操作による疲労や肩こり等の頸肩腕症候群の低減が期待できる。
パソコン画面から一定の距離を確保できるので、眼精疲労や視力悪化を予防することを期待できる。
人体とパソコン画面との間に設置されるので、パソコンから発生するとされる電磁波の障壁になり、電磁波を浴びる体表面積を低減できる。
【図面の簡単な説明】
【図　１】全体図
【図　２】機能概念図
【図　３】姿勢保持器組立図
【図　４】姿勢保持器正面図
【図　５】姿勢保持器断面図（１）
【図　６】姿勢保持器断面図（２）
【図　７】肘掛板平面図
【図　８】肘掛板断面図
【符号の説明】
（１）顎のせ部ウレタンフォーム
（２）キー棒貫通穴
（３）振止めプレート
（４）水平方向ガイド及び前後方向回転軸パイプ
（５）顎のせパイプ挿入孔
（６）キー棒
（７）単部振止め球
（８）軸パイプ軸受部
（９）軸パイプ位置調節ネジ
（１０）ネジ穴
（１１）パイプ支柱軸受部
（１２）パイプ支柱高さ調節ネジ
（１３）ネジ穴
（１４）接触面ウレタンフォーム
（１５）ツボ押し用突起
（１６）パイプ支柱
（１７）クランプ
（１８）すみ肉溶接
（１９）ガイド棒
（２０）振止め及び離脱防止球
（２１）ガイド棒軸受
（２２）ツボ押し用突起
（２３）クッション紐等取付け用半環
【図１】
2004013142.tif 000003
【図２】
2004013142.tif 000004
【図３】
2004013142.tif 000005
【図４】
2004013142.tif 000006
【図５】
2004013142.tif 000007
【図６】
2004013142.tif 000008
【図７】
2004013142.tif 000009
【図８】
2004013142.tif 000010
(57)【要約】【課題】この発明は、音を止めたり出したりでき、使いやすさを追及するとともに体の各部をたたいたり、ツボ押ししたり、かゆみかきにも併用できるマラカスの気持ちをなごますユーモラス且つ合理的な形状、及び、音による聴覚、脳神経の刺激による健康維持、特に高齢者の健康維持に役立つ器具に関するものである。【解決手段】上記課題を解決するために、最も体の表面曲線に良く会うユーモラス且つ合理的な形状として発見されたのが、曲玉形状である。即ち、本発明の音を止めたり出したりできる曲玉形状マラカスを使用することにより上記課題を解決しようとするものである。【選択図】　図１
2004013147.tif 000002
【特許請求の範囲】
【請求項１】
曲玉の形状をした音を止められるマラカス
【発明の詳細な説明】
この発明は音を止めることが出来る形が曲玉状のマラカスである。従来のマラカスは形が単純すぎて面白味（ユーモラスさ）を感じさせない、その欠点をなくすため本発明は形を曲玉状にして、持っているだけでも、又、眺めているだけでも気持ちがなごむ様にしたものである。以下それを説明する。
（イ）　図１に示すように形が曲玉状である。
（ロ）　音を止めるときは図２の断面図のように頭部（１）を上にしてボタン（３）を押しボタンの穴（７）を介して中身の品物を手元側の空洞（８）に移動させてボタンを離せばよい、手元側の空洞は容量が小さいため音が出なくなる。又、元に戻すとき（音をを出すとき）は頭部（１）を下にして同じくボタンを押し頭部側の空洞（５）に中身の品物を移動させておけばよい。
（ハ）　マラカスとして使用するとき、一般に使用されているマラカスは外形の頭部が球状で、握りの部分も丸いため、振っているときに頭側から手元側にかけての中心軸を軸に回転しやすく、滑りやすい、又、机の上等に置いているとき、ちょつとした振動で転げ落ち壊れたりする事もある、本発明のマラカスは曲玉形状であるため軸回転を起こさず、どこを握っても安定して振り続けることができ、又、机等から転げ落ちることがないのである、特に図４のように頭部側の先端部分（２）を親指で押さえて使用すると大変使いやすくスムーズにはずみがつき心地よく調子がとれるのである。
（ニ）　又、このマラカスは形状が曲玉状であるため、表面の曲り具合が、肩叩き、ツボ押し、かゆみかき（孫の手）、として利用するのに最適なのである。特にお年寄りの痴呆（ぼけ）防止に音を出し聴覚等を刺激しながら、肩叩き等に利用すれば、お年寄りの健康維持に役立つのである。具体的使用方法として図５以下の実施図面にもとづき説明する、図５は頭を叩いて脳に軽い振動と刺激をあたえ脳の血行をよくしている状態をしめす、図６は肩のツボに頭部先端（２）部分をあて、引張って、ツボを刺激ている状態をしめす、図７は手元側のかゆみかき部分（６）で背中をかいている状態をしめす、図８は音を出して又は音を止めて肩や首を叩いてほぐしている状態をしめす、図９はお年寄りが本発明のマラカスの頭側をなでなでしながら気持ちがなごんでいる状態をしめす。
以上本発明について説明したが添付図面にしめされたマラカスは本発明を具体化した例であって、本発明の内容はこれらに限定されるものでないことはいうまでもない。
【図面の簡単な説明】
【図１】本発明の外観斜視図
【図２】本発明の断面図
【図３】本発明のボタンとバネ部分の斜視図
【図４】本発明の使用斜視図
【図５】本発明の使用斜視図
【図６】本発明の使用斜視図
【図７】本発明の使用斜視図
【図８】本発明の使用斜視図
【図９】本発明の使用斜視図
【符号の説明】
１は頭部　　　　　　　５は頭部側の空洞
２は頭部先端　　　　　６は手元側のかゆみかき部分
３は楕円棒状ボタン　　７は楕円棒状ボタンの穴
４はバネ　　　　　　　８は手元側の空洞
【図１】
2004013147.tif 000003
【図２】
2004013147.tif 000004
【図３】
2004013147.tif 000005
【図４】
2004013147.tif 000006
【図５】
2004013147.tif 000007
【図６】
2004013147.tif 000008
【図７】
2004013147.tif 000009
【図８】
2004013147.tif 000010
【図９】
2004013147.tif 000011
(57)【要約】【課題】Ｂ社では消火器の廃棄を希望するＡからの電話に対し「ホームページで」という簡単な電話応対で済むし、Ａは遠くのＢ社まで行かなくても最寄りの配送業者のＣ社に廃棄消火器を持ち込めるので、かかる配送業者の全国ネットワーク店の利便性が利用できて廃棄消火器の回収率が大幅に向上する廃棄消火器回収システムを得る。【解決手段】消火器の廃棄を希望するＡから、廃棄消火器を回収する製造メーカー等のＢ社に、このＢ社に代わって廃棄消火器を一旦回収する配送業者のＣ社を介して、廃棄消火器を回収する。【選択図】　　　　図１
2004013546.tif 000002
【特許請求の範囲】
【請求項１】
消火器の廃棄を希望するＡから、廃棄消火器を回収する製造メーカー等のＢ社に、このＢ社に代わって廃棄消火器を一旦回収する配送業者のＣ社を介して、
（１）まず、ＡがＢ社のホームページを開いて、情報（氏名または名称，住所，電話番号，廃棄消火器の種類・本数，メールアドレスなど）を入力する、
（２）かかる情報の入力があると「ＩＤ番号」が表示されるので、Ａはこの「ＩＤ番号」を得てホームページを閉じる、
（３）次に、Ａは前記「ＩＤ番号」と廃棄消火器を持って、前記ホームページ上で紹介された近くのＣ社を訪問する、
（４）こうして、Ａの訪問を受けたＣ社は、「自社のＩＤ，ＰＷ」を用いてＢ社のホームページを開き、前記「ＡのＩＤ番号」を入力する、
（５）かかる「ＡのＩＤ番号」の入力があると、Ａの氏名または名称及び廃棄消火器の種類・本数などが表示されるので、Ｃ社はこれを確認してホームページを閉じる、
（６）その上で、Ｃ社はＡから廃棄消火器を受け取り，精算する、
（７）こうして、回収した廃棄消火器はまとめてＣ社がＢ社に運送し、Ｂ社において廃棄消火器をＣ社から受け取り，精算する、
の順序で廃棄消火器を回収することを特徴とする廃棄消火器回収システム。
【発明の詳細な説明】
【０００１】
【発明の属する技術分野】
この発明は、廃棄消火器を回収する製造メーカー等のＢ社が消火器の廃棄を希望するＡから廃棄消火器を回収する際の廃棄消火器回収システムに関するものである。
【０００２】
【発明が解決しようとする課題】
消火器の廃棄についての回収依頼の電話が、ＡからＢ社に日々多く入っている。この電話応対はその都度回収方法の説明をしなければならないので、Ｂ社にとって大変手間のかかる業務となっているのが現状である。
【０００３】
その際、Ｂ社では製造メーカーとして本社，各営業所，さらには販売店などへの廃棄消火器の持ち込みをお願いするのであるが、全国的にみてその持ち込み可能な場所が少なく地域的にも限られることから、廃棄消火器のＢ社への持ち込みが激減し、廃棄消火器の回収率がきわめて低いという問題点がある。
【０００４】
【課題を解決するための手段】
この発明に係る廃棄消火器回収システムはかかる問題点を解消するためになされたもので、Ｂ社では消火器の廃棄を希望するＡからの電話に対し「ホームページで」という簡単な電話応対で済むし、Ａは遠くのＢ社まで行かなくても最寄りの配送業者のＣ社に廃棄消火器を持ち込めるので、かかる配送業者の全国ネットワーク店の利便性が利用できて廃棄消火器の回収率が大幅に向上する。
【０００５】
【発明の実施の形態】
この発明の一実施の形態を図１について説明する。図１はシステム全体の流れを示す図である。
【０００６】
図において、Ａは消火器の廃棄を希望する回収依頼者、Ｂ社は廃棄消火器を回収する製造メーカー等の回収業者、Ｃ社は契約によりＢ社に代わって廃棄消火器を一旦回収するもので、特に全国の至る所にネットワーク店を有する配送業者である。
【０００７】
消火器を廃棄しようとする場合、一般的に、Ａは何かの情報を得ていきなりＢ社のホームページを開くことはあるが、大抵の場合まずＡがＢ社に回収依頼の電話を入れることから始まる。
この時、Ａからの電話に対し、Ｂ社は「ホームページで」という簡単な電話応対で済む。
【０００８】
その後は次のように続く。
（１）Ａは、電話の後、パソコン１によりＢ社のホームページ（ＷＥＢサーバー２）を開く。
（２）ホームページの「廃棄消火器ＷＥＢサービス」上で、情報（氏名または名称，住所，電話番号，廃棄消火器の種類・本数，メールアドレスなど）を入力する。
（３）この情報がＷＥＢサーバー２からＷＥＢ−ＤＢサーバー３に保管されると、ＷＥＢ−ＤＢサーバー３からＷＥＢサーバー２を通じて「ＩＤ番号」が表示される。
（４）Ａは、この「ＩＤ番号」を得てホームページを閉じる。
【０００９】
（５）次に、Ａは前記「ＩＤ番号」と廃棄消火器を持って、前記ホームページ上で紹介された最寄りのＣ社を訪問する。
（６）こうして、Ａの訪問を受けたＣ社は、窓口４の業務としてパソコン５により「自社のＩＤ，ＰＷ」を用いてＢ社のホームページ（ＷＥＢサーバー２）を開いて、ＷＥＢ−ＤＢサーバー３に入る。
（７）このＷＥＢ−ＤＢサーバー３に前記「ＡのＩＤ番号」を入力する。
（８）かかる「ＡのＩＤ番号」の入力があると、Ａの氏名または名称及び廃棄消火器の種類・本数などが表示されるので、Ｃ社はこれを確認してホームページを閉じる。
（９）その上で、Ｃ社はＡから廃棄消火器を受け取り，精算する。
（１０）こうして、回収した廃棄消火器６はまとめてＣ社がＢ社に運送する。
（１１）Ｂ社はＣ社から廃棄消火器６を受け取り，精算する。
【００１０】
このようにＣ社を介してＡからＢ社に廃棄消火器が回収されるので、Ｂ社では消火器の廃棄を希望するＡからの電話に対し「ホームページで」という簡単な電話応対で済むし、Ａは遠くのＢ社まで行かなくても最寄りの配送業者のＣ社に廃棄消火器を持ち込めるためにＣ社の全国ネットワーク店の利便性を利用できる。
【００１１】
また、このようにＡは最寄りのＣ社に廃棄消火器を持ち込めるので、全国的にみて廃棄消火器の回収率が大幅に向上し、はては廃棄消火器のリサイクル化が促進される。
【００１２】
さらに、このように回収システムが電子化されると、伝票が不要になるので、ペーパレス化が可能になって事務の促進が図れると共に低料金化が可能となる。
【００１３】
【発明の効果】
以上のように、この発明によればＢ社では消火器の廃棄を希望するＡからの電話に対し「ホームページで」という簡単な電話応対で済むし、Ａは遠くのＢ社まで行かなくても最寄りの配送業者のＣ社に廃棄消火器を持ち込めるので、かかる配送業者の全国ネットワーク店の利便性が利用できて廃棄消火器の回収率が大幅に向上するという効果が得られる。
【図面の簡単な説明】
【図１】この発明の一実施の形態を示すシステム全体図である。
【符号の説明】
Ａ　　回収依頼者
Ｂ社　回収業者
Ｃ社　配送業者
１　　パソコン
２　　ＷＥＢサーバー
３　　ＷＥＢ−ＤＢサーバー
４　　窓口
５　　パソコン
６　　廃棄消火器
【図１】
2004013546.tif 000003
(57)【要約】【課題】ホームページの内容充実にあたり、自己の専門情報の公開は可能であるが、専門外の関連情報に関する内容であると自己の知識、情報では充実を図ることは困難である。【解決手段】ホームページに自己の専門情報の公開とともに、自己が不得手な分野の関連情報提供を呼びかけ、読者から各種の関連情報提供を受けてホームページの充実を図ることができる。これにより、ホームページ開設者にとっては、自己のホームページの重要度、有用度が向上し、ホームページを介しての事業に貢献するようになり、読者としては自己の保有していない情報でも広く取得することができるようになる。【選択図】　　図１
2004013384.tif 000002
【特許請求の範囲】
【請求項１】
インターネット上にホームページを開設している開設者は、前記ホームページへ専門情報を公開するとともに、関連する情報の提供を求める開示を行い、前記インターネット上の読者からの提供情報を前記ホームページに開示する如くしたことを特徴とするホームページ増殖方法。
【発明の詳細な説明】
【０００１】
【発明が属する技術分野】
本発明は、自己の開設したホームページの内容をインターネットを介して充実させるホームページ増殖方法に関する。
【０００２】
【従来の技術】
インターネット上のホームページの機能はいまや社会生活上不可欠のものとなりつつある。あらゆる分野に多数のホームページが開設されており、ユーザはこれらの多数のホームページから自己に有益なホームページを選択して利用することになる。この際、ホームページ開設者にとっては、多くのユーザに閲覧してもらい、更に利用を深めてもらいたいとの希望が強い。このために、ホームページ開設者として自己のホームページの内容を充実させるべく努力をしている。
【０００３】
【発明が解決しようとする課題】
自己のホームページの内容充実にあたっても、自己の専門分野の範疇であれば、全て自分で材料集め、編集、開示までの一連の動作を行うことができるが、専門外の内容となると自分の知識ではとても充実を図ることは困難であった。
【０００４】
本発明は、このような従来の課題を解決するためになされたもので、インターネットの特性を活かし広く情報を収集して自己のホームページを充実させることができるホームページ増殖方法を提供することを目的とする。
【０００５】
【課題を解決するための手段】
本発明に係わるホームページ増殖方法は、インターネット上にホームページを開設している開設者は、前記ホームページへ専門情報を公開するとともに、関連する情報の提供を求める開示を行い、前記インターネット上の読者からの提供情報を前記ホームページに開示する如くしたことを要旨とする。
【０００６】
【発明の実施の形態】
本発明の実施形態を図１を参照して以下に説明する。インターネット１１上にあるメーカがマイクロ水力発電装置関係のホームページ１２を開設している場合について考察してみる。ホームページ１２には開設者の会社紹介に始まり、専門分野である発電に関する事項、特に水力発電に関する技術的説明、マイクロ水力発電機器に関する紹介、これらの機器に関する設計事項等の専門情報１２ａを全て公開することが可能であって、実際に公開を行っている。
【０００７】
上述したように水力発電装置に関し、ホームページ１２の開設者が保有する専門的な事項については詳細情報を公開できるが、関連事項として重要な例えば土木・建築関係については、ホームページ１２の開設者は不得手な分野であって、自己のホームページ１２に公開できる情報は保有していない。しかしながら、水力発電を主体としたホームページにあっては、装置設置地域の土木上の適否、装置設置の具体的な土木上の諸条件、付帯施設の建築上の諸情報等の関連情報１２ｂをも掲示公開できればより充実することができる。
【０００８】
そこで、ホームページ１２には、開設者により上述したようなホームページの理念、趣旨を述べるとともに、十分を情報を公開できる分野と不得手で情報が不十分な関連分野を明確に開示して、読者からこの不得手な関連分野に関する情報提供を呼びかける。読者にしてみると、自分が保有する知識、情報を一方的に提供することの一時的な見返りはないが、多くの読者が同様に自己の保有する知識、情報を提供し、これをホームページ１２の開設者が更に整理統合して読者が見やすく利用しやすいようにしてくれることにより、広く読者にとっても有益なホームページとなる。
【０００９】
このように、ホームページ１２へは読者１３ａ、１３ｂから例えば土木情報、建築情報等の関連情報１２ｂに関する情報が提供され、すでに公開されている専門情報１２ａとの相乗効果によって、ホームページ１２はより一層使いやすいものとして活用可能となる。
【００１０】
【発明の効果】
インターネットに開設しているホームページにとって、関連はあるが開設者にとって不得手な事項が読者を介して充実させることが可能となる。読者にとっても自己の保有していない情報を広く知得することができる。
【図面の簡単な説明】
【図１】本発明を説明するための構成図。
【符号の説明】
１１…インターネット
１２…ホームページ
１２ａ…専門情報
１２ｂ…関連情報
１３ａ、１３ｂ…読者
【図１】
2004013384.tif 000003
(57)【要約】【課題】立体をコンピュータに簡単に取り込むシステムを簡素化してあるものが存在しなかった。【解決手段】位置、角度がセンサーによって分かる複数の、ライト付きカメラによって、手動、自動でライト付きカメラを動かす事により立体を撮影する。【選択図】図３
2004013893.tif 000002
【特許請求の範囲】
【請求項１】
角度、伸び縮みセンサーのついたカメラ１とライト７で立体フォルムをコンピュータに画像情報入力として計算できるように出力する装置。
【請求項２】
画像情報を計算するのを簡略化するために、カメラを手動でも自動でも動かせるセンサーでカメラの位置、角度を計算して、出力できるシステム。
【発明の詳細な説明】
【０００１】
【発明の属する技術分野】
本発明は、プラモデルの立体的フォルムをコンピュータ等に入力するためにセンサーを利用したカメラを自動・手動で動かして撮影する、撮影機に関するものである。
【０００２】
【従来の技術】
カメラをデータと連動させてコンピュータによって立体的な映像を得る機械装置が従来よりある。
【０００３】
【発明が解決しようとする課題】
これまでに使われている方式ではデータの取り込みが面倒なところがある。
【０００４】
【課題を解決するための手段】
これまでの技術では、カメラを動かした時のデータを、コンピュータに画像データと同時に取り込むという発想は考えられていなかった。
【０００５】
【発明の実施の形態】
（図面と連動した説明となる。図面中の符号と対応させながら性能を説明）
【０００６】
［図２］のカメラ機構１と点焦点ライト７で光学的装置とする。
【０００７】
［図１］のカメラ機構１を角度センサー付き関節４と伸び縮み機構５、ねじれ回転機構６、２の付いたアーム３に取り付け、２、４、５、６の自動、他動により、センサーが各運動部の位置や角度を感知し、コンピュータで計算可能なデータにして、画像情報と共に出力する。
【０００８】
［図３］の全体装置１０上の回転角度センサー付き台８上の被撮影物９をカメラ機構１で撮影する。
【発明の効果】
角度、位置をセンサーの値から計算でき、またカメラを手動でも動かせることにより、パソコンなどに出力した画像を見ながら、入力されていない部分を速やかに撮影する事が可能。
【図面の簡単な説明】
【図１】本発明のカメラアームに関する部分図。
【図２】本発明のカメラに関する部分図。
【図３】本発明の全体の簡略図。
【符号の説明】
１　カメラ機構。
２　全体機構１０に取り付けるためのねじれ回転機構。
３　アーム。
４　角度センサー付き関節。
５　センサー付き伸び縮み機構。
６　センサー付きねじれ回転機構。
７　点焦点ライト。
８　角度センサー付き台。
９　被撮影物。
１０　全体装置。
【図１】
2004013893.tif 000003
【図２】
2004013893.tif 000004
【図３】
2004013893.tif 000005
(57)【要約】【課題】電子メール等で偽造されない券を送信する。【解決手段】コンピュータ等で画像化した券の一部に、番号等のデータを画像として記録する。【特許請求の範囲】
【請求項１】
券の使用者の固有番号等の必要なデータをコンピュータ等で画像に変換し、画像化した券の一部の特定な位置に記録してなる券を、電子メール等で送信する画像に変換したデータを有する券を送信する方法
【発明の詳細な説明】
【０００１】
【発明が解決しょうとする課題】
本発明は、コンピュータ等で画像に変換したデータを有する券を電子メール等で送信するものである。
従来、インターネットや電子メールを介しての券の発行は、パソコン等で複製や偽造が簡単に行えるため普及しなかった。
【０００２】
【課題を解決するための手段】
券の使用者の固有番号等の必要なデータをコンピュータ等で画像に変換し、画像化した券の一部の特定な位置に記録してなる券を、電子メール等で送信する。
【０００３】
券のデザインは、パソコンや携帯電話等の端末機の画面で直接確認できればよく、自由であるが、データの記録位置を特定されないような模様が望ましい。
【０００４】
データは、番号等の必要な数字、文字を連続する２進数として、８ビットや１６ビット等の単位の画像に変換するが、暗号化して画像に変換してもよい。そして、データの内容は、使用者固有のＩＤカードや会員証の番号、または電子メールのアドレス等を記録するのが望ましい。
【０００５】
画像化した券は、インターネットでのダウンロードや電子メールの添付ファイルとしても送信できる。
【０００６】
券の確認は、画像化した券の特定な位置の画像データを確認可能なデータに変換し、使用者固有のＩＤカード等の番号と照合確認すればよい。
【０００７】
データの画像化やデータの暗号化の技術および画像としたデータの特定な記録位置は公開する必要がなく、券の発行者が正しい券と確認できればよい。
【０００８】
【発明の実施の形態】
顧客より券の要求があれば、顧客もしくは券の使用者である固有番号等のデータをコンピュータ等で画像に変換し、発行者が作成した券の画像の特定の位置に記録し、電子メールの添付ファイルとして送信する。顧客は、券の使用にあたって、携帯電話等の端末機の画面に表示して提示するか、または発行者の要求があれば券の画像ファイルを直接あるいは電子メールでコンピュータ等に送信して、発行者が券に記録したデータと使用者固有のＩＤカード等のデータを照合確認した上で使用することができる。そして、券の回収や使用済みとするには、発行者が画像ファイルを削除するか上書きで使用済みデータを書き込めばよい。また、複数枚となる回数券やサービス券のポイント等は、ＨＴＭＬ言語等で書かれた台紙ファイルに券の画像を貼り付ければよい。
【０００９】
【発明の効果】
本発明は、上述のとおり構成されているので、次に記載する効果を奏する。
顧客は、インターネット又は電子メールで希望する券を要求すれば、ダウンロードまたは電子メールの添付ファイルとして、データを画像に変換して記録した券を送信してもらえるので、券の発送に時間や手間がかからない。また、券の確認がその時点でできるので間違いがや紛失等も起こらない。また、券のコピー等で複製や偽造が行われても、使用時に、券に記録したデータと使用者固有のデータを照合確認できるので、確実に発見できる。そして、使用者が常に所持する携帯電話等の端末機に、券を画像ファイルとして保存すれば、確認処理やデータ入力も間違いなく速やかに行われる。
(57)【要約】　　　（修正有）【課題】雑誌・チラシ・新聞広告・レシートなど広範囲な広告・製品効果データーを瞬時に判定し、生産・販売計画等にも役立ち、経済効果を増大させる。【解決手段】購買者１が広告主の品物・広告２に添付してあるデータを読み取り装置で取り込み、そのデータを広告主３に送り、その集計結果のサービス４やデータを購買者１及び品物・広告２の効果向上にＩＴを活用する。添付データはチラシ等の紙面に限らず、製品、製品梱包材、ビール缶、箱、ポスター等の広範囲とする。【選択図】　　　　図２
2004013882.tif 000002
【特許請求の範囲】
【請求項１】
品物や広告２にある印やデーターをパソコン５や携帯電話７などのＩＴ機器を利用して読み取り、データーを広告主３に送信し、それに見合うサービス４を購買者１に与える方法。
【請求項２】
品物や広告２にある印やデーターをパソコン５や携帯電話７などのＩＴ機器を利用して読み取り、フロッピーディスク６や磁気カード８などに記録し、広告主３に送り、それに見合うサービス４を購買者１に与える方法。
【請求項３】
ＩＴを活用した広告効果促進方法をとるために、パソコン５や携帯電話７などの機器にそのデーターの読み取り・配信機能を付帯すること。
【請求項４】
ＩＴを活用した広告効果促進方法をとるための印やデーターを広告・製品・品物など該当物に付加すること。
【発明の詳細な説明】
【０００１】
【発明の属する技術分野】
本発明は、品物や広告に表示された部分をＩＴ機器を活用して取り込み、集計し、顧客にサービスを提供することによって広告効果促進する方法に関する。
【０００２】
【従来の技術】
従来、広告主は自分の品物や広告面に表示されたシール等を顧客が集め、送らせてたり、割引券などでサービスを付与して広告効果を高めていた。
【０００３】
最近では、インターネット上で広告を見た人がそれをクリックすれば、その数によって景品などと交換するものもある。
【０００４】
しかし、どの広告をクリックすれば良いのか判らず、躊躇し、犯罪に巻き込まれてはとの恐れから行動に移しにくい面がある。
【０００５】
【発明が解決しようとする課題】
従来のシール等を集める方法では、送る手間や切手代がかかるので送らない人もいて、広告効果や顧客データー取得・速度がおもわしくない。
【０００６】
本発明は、特定のシールを集めて送る必要がなく、雑誌・チラシ・新聞広告・レシートなど広範囲な広告データーや効果を瞬時に判定し、生産・販売計画等にも役立ち、経済効果が増大することを目的としている。
【０００７】
【課題を解決するための手段】
上記目的を達成するために、本発明の方法においては、品物や広告に表示された部分を例えばバーコードにしてそのデーターを取り込み、集計する。
【０００８】
さらにそれを分析し、生産・販売計画を練り直し、顧客にサービスなどをフィードバックすることでさらに広告効果・購買効果を高める。
【０００９】
その範囲はチラシ等の紙面に限らず、製品や製品梱包材やビール缶、箱、ポスター等広範囲に読み取りデーターを添付する。
【００１０】
読み取り・配信機能をパソコンや携帯用読み取り器や携帯電話・ゲーム機・ヘッドホン等の機器に付帯させる。
【００１１】
記録媒体に記録したデーターや自動的に送られたデーターを集計して、それに見合ったサービスを顧客に送る。
【００１２】
【発明の実施の形態】
発明の実施の形態を図面を参照して説明する。
図１において、購買者１が広告主の品物や広告２を買ったり、見たりする。
【００１３】
次に、品物や広告２にあるデーターをバーコード等の読み取り器でよみ、そのデーターを広告主３に送る。
【００１４】
広告主３はその送られてきたデーターを集計し、それに該当するサービス４を購買者１に提供する。
【００１５】
さらに、そのデーターを分析して、製品・サービスの改善を品物や広告２に反映させ、購買者１にサービス４の併用・データーの配信をして、さらに購買を促進してもらう。
【００１６】
図２に示される実施方法では、パソコン５や携帯電話７で品物や広告２にあるデーターを取り込み、広告主３に送信、またはフロッピーディスク６や磁気カード８などの記録媒体に記録し、それを広告主３に送り、それに見合うサービス４を購買者１のパソコン５や携帯電話７に送る。
【図面の簡単な説明】
【図１】ＩＴを活用した広告効果促進方法のシステム図である。
【図１】パソコン・携帯電話・フロッピーディスク・磁気カードなどのＩＴ機器を活用した広告効果促進方法の概略図である。
【符号の説明】
１　購買者
２　品物・広告
３　広告主
４　サービス
５　パソコン
６　フロッピーディスク
７　携帯電話
８　磁気カード
【図１】
2004013882.tif 000003
【図２】
2004013882.tif 000004
【手続補正書】
【提出日】平成14年8月30日(2002.8.30)
【手続補正１】
【補正対象書類名】明細書
【補正対象項目名】図面の簡単な説明
【補正方法】変更
【補正の内容】
【図面の簡単な説明】
【図１】ＩＴを活用した広告効果促進方法のシステム図である。
【図２】パソコン・携帯電話・フロッピーディスク・磁気カードなどのＩＴ機器を活用した広告効果促進方法の概略図である。
【符号の説明】
１　購買者
２　品物・広告
３　広告主
４　サービス
５　パソコン
６　フロッピーディスク
７　携帯電話
８　磁気カード
(57)【要約】［課題］簡単に、なじみ易くかつ効率的に入力するのが本発明の課題である。［手段］上記の問題を解決するために、本発明は、適当に数字キーを子音と母音と末記号に対応させ、（数字の読み方を利用して、子音を数字に対応させ、母音を発音する時の口形のイメージを利用して母音をキーの位置に対応させなど）分かりやすく簡単に日本語を入力することができる。【選択図】図１
2004013877.tif 000002
【特許請求の範囲】
【請求項１】
数字入力装置において子音記号と母音記号と末記号（末記号は一般な清音記号と、濁音記号「゛」と、小さい文字記号と、撥音「ん」記号と、長音「ー」記号と、半濁音記号を含んでいる）を組み合わせることにより仮名を入力することを特徴とする日本語の入力装置。
【請求項２】
子音「Ｋ」を数字「９」に対応させ、子音「Ｓ」を数字「７」に対応させ、子音「ｔ」を数字「１」に対応させ、子音「ｎ」を数字「２」に対応させ、子音「ｈ」を数字「８」に対応させ、子音「ｍ」を数字「３」に対応させ、子音「ｙ」を数字「４」に対応させ、子音「ｒ」を数字「６」に対応させ、子音「Ｗ」を数字「０」に対応させることにより仮名の子音或はローマ字を入力することを特徴とする入力装置。
【請求項３】
母音を入力するにおいて、図３のように母音「ａ」を上真中（２の位置）に対応させ、或は母音「ｉ」を上左（１の位置）に対応させ、或は母音「ｕ」を左中（４の位置）に対応させ、或は母音「ｅ」を左下（７の位置）に対応させ、母音「ｏ」を下中（８の位置）に対応させることにより仮名の母音或はローマ字を入力することを特徴とする入力装置。
【請求項４】
末記号の濁音或は半濁音を右上（図３、３の位置）に対応させにより仮名濁音と半濁音を入力することを特徴とするの入力装置。
【請求項５】
長音「ー」記号或は「小さい文字」記号を右中（図３、６の位置）に対応させにより仮名の長音記号或は「小さい文字」を入力することを特徴とするの入力装置。
【請求項６】
末記号の撥音記号を右下（図３、３の位置）に対応させにより仮名の発音を入力することを特徴とするの入力装置。
【発明の詳細な説明】
【０００１】
［発明の属する技術分野］
本発明は、十進数によるカナを符号する方法及び数字入力装置（ダイヤルキーボードを例として）による日本語の入力方法に関する。
【０００２】
［従来の技術］
従来は、数字キーボードのキーの押し回数を数えながら、入力する。或は、カナのテーブルを見ながら、入力する。効率的に直接の入力が出来ないようにしている。
【０００３】
［発明が解決しようとする課題］
簡単に、なじみ易くかつ効率的に入力することが本発明の課題である。
【０００４】
［課題を解決するための手段］
上記の問題を解決するために、本発明は、適当に数字キーを子音と母音と末記号に対応させることによって（数字の読み方を利用して、子音を数字に対応させ、母音を発音する時の口形のイメージを利用して母音をキーの位置に対応させるなど）、分かりやすく簡単に日本語を入力することができる。
【０００５】
［発明の実施の形態］
本発明の方式によって仮名を入力する時、まず、仮名の子音と母音に対応している数字を入力し、そして、末記号に対応している数字を入力し、１つの假名の入力が終る。従って、十進数を３桁内で假名を入力することができる。
【０００６】
［実施例］
「は」を入力する時、子音「ｈ」は数字「８」の子音「ｈａｔｉ」と同様のため、「８」を入力し、そして、母音「ａ」図１のように「２」と対応しているので「２」を入力し、最後は末記号「５」を入力し、これで、１つの假名「は」の入力が終る。
【０００７】
［子音テーブルの説明］
数字９は「Ｋｙｕ」と読むですから、子音「Ｋ」を数字「９」に対応させる。同じく下記のように子音を数字に対応させる。
「Ｋ」　きゅう　「９」
「Ｓ」　しち　　「７」
「ｔ」　ひと　　「１」
「ｎ」　に　　　「２」
「ｈ」　はち　　「８」
「ｍ」　み　　　「３」
「ｙ」　よん　　「４」
「ｒ」　ろく　　「６」
「Ｗ」　わ　　　「０」
【０００８】
［母音位置テーブル］
母音を発音する時の口形のイメージを利用して下記のように母音を位置に対応させる。
１／ｉ　　２／ａ　　　　　３
４／ｕ　　５　　　　　　　６
７／ｅ　　８／ｏ　　　　　９
図４で説明してくれるように
［ａ］を２の位置に対応させ
［ｉ］を１の位置に対応させ
［ｕ］を４の位置に対応させ
［ｅ］を７の位置に対応させ
［ｏ］を８の位置に対応させ
【０００９】
末記号テーブル：
真中のキー「５」は最も押しやすいところで一般的な清音に対応する（発音から見るとゴウにも似ているから）。
符号方式＝ダイヤキーボードによる例
母音は「−５」＝「母音キー」＋「５キー」
その他の清音は「−５」＝「子音キー」＋「母音キー」＋「５キー」
例：
あ「２５」
い「１５」
う「４５」
か「９２５」
さ「７２５」
し「７１５」
【００１０】
右上の「３」の位置は仮名文字の濁音記号「゛」と半濁音記号の位置と似ているから、濁音と半濁音に対応させる。
濁音「−３」＝「子音」＋「母音」＋「３キー」
半濁音「−３３」＝「母音」＋「３３キー」
たとえば、「ば」は「８２３」で「だ」は「１２３」で
ザ「７２３」
パ「２３３」
【００１２】
長音記号「ー」：「６６」に対応させる。
【００１３】
小さなカナ「ッ」「ゃ」「ゅ」「ょ」：「−６」
ッ　「１４６」或いは「１６」
ゃ　「４２６」　　　「２６」
ゃ　「４２６」　　　「２６」
ゅ　「４４６」　　　「４６」
ょ　「４８６」　　　「８６」
きょ「９１８」
【００１４】
撥音「ン」は右下のキー「９」と対応させる。下記のようにしてもよい。
ん　「９９」
さん「７２９」
せん「７７９」
【００１５】
末記号の位置対応テーブル
１　　２　　　　　３／゛
４　　５／ｇｏ［ｅｎｔｅｒ］　　６／ー
７　　８　　　　　９／ん
［発明の効果］
簡単になじみやすいかつ効率的な入力方法である。
仮名の一つは十進数三桁以内で入力できる。
【図面の簡単な説明】
【図１】入力方式の説明図である。
【図２】数字子音テーブルである。
【図３】母音と末記号の位置対応図である。
【図４】母音の対応の説明図である。
【図５】末記号の対応の説明図である。
【図１】
2004013877.tif 000003
【図２】
2004013877.tif 000004
【図３】
2004013877.tif 000005
【図４】
2004013877.tif 000006
【図５】
2004013877.tif 000007